(57)【要約】【課題】  書見台を使うために、本の受け板を起こすと、頁押え具も一緒に立ち上がり頁を押える体制になる、また書見台角度は一度設定すれば、次回も同じ角度を継続保持する。  以上を特徴とする書見台に関するものである。【解決手段】  両側面に、頁押え具をネジで軸着した本の受け板を、基台の切り込み空洞部分に、軸支によって、組み込める様にしたことを特徴とする、また書見台のＵ字型立掛け脚の末端を基台の側面に取り付けたネジの頭部で受けて、そのネジを回して、立掛け脚を好みの角度に継続して保持できる様にしたことを特徴とする書見台。【選択図】図１
2007330734.tif 000002
【特許請求の範囲】
【請求項１】
本の受け板（１）の両側面に、頁押え具（２）をネジ（５）で軸着し、これを基台（３）の切り込まれた空洞部分に軸支によって組み込める様にした書見台。
【請求項２】
本の受け板（１）の両側面の、それぞれの端に切り込み部分を設け、それへ頁押え具（２）を差し込み、これを受け板（１）の側面に取り付けたネジ（５）で軸着した請求項１の書見台。
【請求項３】
本の受け板（１）の両側面へ、長手方向の円孔を穿ち、この孔へ、先端に頁押え具（２）を付けた丸棒（６）を挿入し、その丸棒（６）を受け板（１）の上面に取付けたネジ（５）で、横移動と摺動圧の調節ができる様にした請求項１の書見台。
【請求項４】
基台（３）に固定された本の受け板（１）の底部へ、長手方向に貫通する丸孔を穿ち、この孔へ、これを軸として前後に動くＵ字型の丸棒（６）を挿入し、その丸棒の各先端へ、頁押え具（２）をネジ（５）で軸着した書見台。
【請求項５】
基台（３）の両側面にネジで軸着されたＵ字型立掛け脚（４）にあって、その末端を、基台（３）の側面に取付けたネジ（５）の頭部で受け、このネジ（５）を回すことで、立掛け脚（４）を好みの角度に保持できる様にした書見台。
【発明の詳細な説明】
【技術分野】
【０００１】  この発明は、書見台を使うために、本の受け板を起こすと、頁押え具も同時に立ち上がり、頁を押える体制になる。
また、書見台角度を一度設定すれば、次回も同じ角度を継続保持する。
以上を特徴とする書見台に関するものである。
【背景技術】
【０００２】  従来、一般の書見台の頁を押える方法は、先ず押え具を手前とか上方へ動かしてから、本を書見台に置いて読む頁を開き、それから押え具を引寄せるという手順を要した（たとえば特許文献１参照）。【０００３】  また、従来、一般の頁押え具は、書見台に直に蝶着されているに過ぎなかった。
したがって本を読み進んで頁の嵩が増えた場合、頁の反発力に負けて、頁押え具は開いてしまう、さらにそのような状態で、次の頁を差し込むのは一層難しかった。【０００４】  頁押え具の操作にコイルバネを使い、頁の反発力に対応できる様にしても、バネの力には範囲があるから、あらゆる状態に対応するのは無理がある（たとえば特許文献２参照）。【０００５】  一方、書見台の読む角度の設定には、すでに色々な方法が使われているが、何れの場合も設定した角度は一度閉じれば、次回は新たに設定し直さなければならなかった、つまり角度を記憶する事はできなかった。【０００６】
【特許文献１】  特開平８−２５８４５６
【特許文献２】  実開平７−３９５８５
【発明の開示】
【発明が解決しようとする課題】
【０００７】  これには、次のような問題点があった。
（イ）書見台に本をセットする際は、先ず蝶着された頁押え具を一旦手前または上方に動かしてから、本をセットして読む頁を開き、それから頁押え具を引寄せて頁を押えるという手間を要した。
（ロ）また、本を読み進んで頁の嵩が増えた場合、従来の頁押え具は、頁の反発力に負けて頁押え具が開いてしまい、本は勝手に閉じてしまった。
（ハ）また、書見台を使わないときの収納スペースを、薄く平らにするのは難しかった。
（ニ）一方、書見台の読む角度の設定には、色々な方法が使われているが、何れも場合も一度設定を外せば、次回使用するときは新たに角度を設定し直さなければならなかった。
本発明は、これらの問題点を解決するためになされたものである。
【課題を解決するための手段】
【０００８】（イ）基台の切り込まれた空洞部分に、頁押え具を軸着した本の受け板を軸支する。
これにより、使用するために受け板を、指で起こすと、頁押え具も同時に立ち上がり頁押え具は即使用できる状態になる。
また、書見台を収納するために受け板を倒せば、頁押え具も一緒に倒れるので、一動作で収納が可能になる。【０００９】（ロ）受け板の上方へ頁押え具を取り付けて、本の頁と略同じ位置から頁を押える様にし、かつ頁押え具の軸着部にネジを使い、摺動圧の調整ができる様にする。
これにより、書物を読み進んで頁の嵩が増えた場合でも、頁の反発力に負けて頁押え具が開いてしまうことはなくなる。
（ハ）書見台を使用しないときは、基台の切り込まれた空洞部分に、頁押え具を軸着した受け板が、軸支により、組み込める様にする。
これにより、書見台を使わないときの収納スペースは薄く平らになる。【００１０】（ニ）書見台のＵ字型立掛け脚の末端を、基台の側面に取り付けたネジの頭部で受けて、そのネジを回すことで、書見台の立掛け脚を好みの角度に保持できる様にする。
これにより、次回もその角度を使用したいときは、角度設定の必要はない。
以上を特徴とする書見台である。
【発明の効果】
【００１１】（イ）書見台を使用するために本の受け板を、指で起こすと、頁押え具も同時に立ち上がり頁押え具は即使用できる状態になる。
また、書見台を収納するために本の受け板を倒せば、頁押え具も一緒に倒れるので、少ない動作で収納が可能になる。
（ロ）本の受け板の上方へ頁押え具を取付けて、本の頁と略同じ位置から頁を押え、且つ頁押え具の軸着ネジで、状況に応じて褶動圧の調整をすることで、頁の嵩が増えても頁の反発力に負けて頁押え具が開いてしまうことはなくなる。【００１２】（ニ）書見台を使用しないときは、基台の切り込まれた空洞部分に、頁押え具を軸着した受け板が、軸支により組み込める様にすることで、収納の際は薄く平らに収まる。
（ホ）また、書見台のＵ字型立掛け脚の末端を、基台の側面に取り付けたネジの頭部で受けて、そのネジを回して書見台の立掛け脚を好みの角度に保持できる様にすることで、次回同じ角度を使用するときは、角度設定の必要はない。
【発明を実施するための最良の形態】
【００１３】  以下、本発明の第１の実施例の形態について図１で説明する。
（イ）本の受け板（１）の両側面に、頁押え具（２）をネジ（５）で軸着する。
（ロ）この受け板（１）を、軸支により、基台（３）の切り込まれた空洞部分に、組み込める様にする。
（ハ）そして、基台（３）の側面に、Ｕ字型の立掛け脚（４）を軸着する。
（ニ）このＵ字型の末端を、基台（３）の側面に取り付けたネジ（５）の頭部で受けて、そのネジを回すことで、書見台の角度の調節ができる様にする。【００１４】  本発明は以上のような構成で、これを使用するときは、受け板（１）を指で手前に引き起こせば、頁押え具（２）も一緒に立ち上がる。
したがって、起こした受け板（１）へ本を載せて、立掛け脚（４）を立てれば、書見台は使える状態になる。【００１５】  頁押え具は、先端部のみで頁を押える形状とする、これにより頁はより確実に押えられる。
また頁の嵩が増えて押えきれなくなったときは、頁押え具の軸着ネジを少し締め込んで、頁押え具の動きを重くしてやる。
書見台の角度は、変更したいときだけ、側面に取り付けたネジで調節する。
このネジは、片側面のみに取り付けても、普通の本の重さなら充分に耐える。
図２は、受け板（１）の斜視図で、基台（３）へ差し込む支軸の丸棒（６）を示している。
図３は、Ｕ字型立掛け脚（４）の末端の角度調節ネジ部分の斜視図である。
図４は、図１の書見台を、使用しないときの収納状態を示した斜視図である。【００１６】  また本発明の第２の実施例は図５に示すように、受け板（１）の側面の両端に、夫々切り込み部分を設け、それへ頁押え具（２）を差し込み、これを受け板（１）の側面に取り付けたネジ（５）で軸着する様にしたものである。
これにより頁押え具（２）が動いたとき、ネジが一緒に回る事は無くなる。【００１７】  また本発明の第３の実施例は図６に示すように、受け板（１）の両側面から長手方向へ円孔を穿ち、この孔へ、先端に頁押え具（２）を付けた丸棒（６）を挿入し、その丸棒を、受け板（１）の上面に取付けたネジ（５）で、横移動と摺動圧の調節ができる様にしたものである。
これにより書物の大きさに見合った頁押え位置へ、頁押え具（２）を置くことができるようになる。【００１８】  また本発明の第４の実施例は図７に示すように、基台（３）に固定された受け板（１）の底部へ、長手方向に貫通する丸孔を穿ち、この孔へ、これを軸として前後に動くＵ字型の丸棒（６）を挿入し、その丸棒の各先端へ、頁押え具（２）をネジ（５）で軸着する様にしたものである。
これにより頁押え具（２）を、文字の隠れにくい位置へ置くことができるようになる。
【図面の簡単な説明】
【００１９】
【図１】  第１の実施例の斜視図。
【図２】  図１の受け板の斜視図。
【図３】  図１の立掛け脚の末端部分の斜視図。
【図４】  図１の収納状態の斜視図。
【図５】  第２の実施例の受け板の斜視図。
【図６】  第３の実施例の受け板の斜視図。
【図７】  第４の実施例の部分斜視図。
【符号の説明】
【００２０】      １  受け板
２  頁押え具
３  基台
４  立掛け脚
５  ネジ
６  丸棒
【図１】
2007330734.tif 000003
【図２】
2007330734.tif 000004
【図３】
2007330734.tif 000005
【図４】
2007330734.tif 000006
【図５】
2007330734.tif 000007
【図６】
2007330734.tif 000008
【図７】
2007330734.tif 000009